(57)【要約】【課題】意匠性、装飾性に優れ、かつ長い期間使用しても、面部での反りが生じないディスク状被収納物のパッケージを提供する。【解決手段】折曲部３０、３２を介して複数の面部２０、２１、２３が繋がったシートであって、折曲部３０、３２で折り曲げることにより、面部２０、２１、２２及び折曲部３０．３１、３２で囲まれた収納空間を有する構造体を組立可能な第１のシート２と、折り曲げられた第１のシート２の端部どうしの接合部を含む構造体の外表面の少なくとも一部を覆うように貼着される第２のシート４と、を備え、第１のシート２及び第２のシート４が同材質の紙材からなるディスク状被収納物のパッケージを提供する。【選択図】図１
2010143616.tif 000002
【特許請求の範囲】
【請求項１】
折曲部を介して複数の面部が繋がったシートであって、前記折曲部で折り曲げることにより、前記面部及び前記折曲部で囲まれた収納空間を有する構造体を組立可能な第１のシートと、
折り曲げられた前記第１のシートの端部どうしの接合部を含む前記構造体の外表面の少なくとも一部を覆うように貼着される第２のシートと、を備え、
前記第１のシート及び前記第２のシートが同材質の紙材からなることを特徴とするディスク状被収納物のパッケージ。
【請求項２】
前記面部が、矩形の主パネルと前記主パネルよりも幅の狭いフラップとから構成され、前記接合部において、前記主パネルの端部と、前記折曲部で折り返された前記フラップの端部とが接触していることを特徴とする請求項１に記載のディスク状被収納物のパッケージ。
【請求項３】
前記接合部において、前記面部の端部どうしが重なり合うことなく、貼着された前記第２のシートによって両端部の接合状態が保たれていることを特徴とする請求項１または２に記載のディスク状被収納物のパッケージ。
【請求項４】
前記接合部において、一方の前記面部の端部の凸部と他方の面部の端部の凹部とが嵌合した状態で接触していることを特徴する請求項３に記載のディスク状被収納物のパッケージ。
【請求項５】
前記嵌合した状態で接触している両端部において、前記凸部の側部及び前記凹部の側部に、互いに対応した角度のテーパが付けられていることを特徴する請求項４に記載のディスク状被収納物のパッケージ。
【請求項６】
前記第１のシートが、前記ディスク状被収納物を収納するのに十分な強度を有することを特徴とする請求項１から５の何れか１項に記載のディスク状被収納物のパッケージ。
【請求項７】
前記第１のシートと前記第２のシートとが高級白板紙からなることを特徴とする請求項１から６の何れか１項に記載のディスク状被収納物のパッケージ。
【請求項８】
前記第１のシートが、前記折曲部を介して繋がった２つの前記主パネルを含み、
前記折曲部で折り曲げることにより、２つの前記主パネル及び前記折曲部により囲まれた１つの前記収納空間が形成されることを特徴とする請求項１から７の何れか１項に記載のディスク状被収納物のパッケージ。
【請求項９】
前記第１のシートが、前記折曲部を介して縦に繋がった２つの前記主パネルを有する２つの帯状部分と、前記折曲部を介して各々の前記帯状部分の側部に繋がり、これにより２つの前記帯状部分を連結している所定の幅の連結部分とを含み、
前記折曲部で折り曲げることにより、個々の前記帯状部分において前記主パネル及び前記折曲部により囲まれた前記収納空間が形成され、当該２つ収納空間が前記連結部分の幅寸法内に並ぶように配置されることを特徴とする請求項１から７の何れか１項に記載のディスク状被収納物のパッケージ。
【発明の詳細な説明】
【技術分野】
【０００１】
本発明は、ＣＤ（コンパクトディスク）、ＤＶＤ（デジタル  ヴァーサタイル  ディスク）、ＢＤ（ブルーレイディスク）、レコード盤を始めとするディスク状被収納物を収納するパッケージに関し、特に、紙製のパッケージに関する。
【背景技術】
【０００２】
従来から音楽を記録する媒体としてレコード盤が普及し、近年においては、音楽、画像等を記録する媒体として、ＣＤやＤＶＤが普及しており、更に記憶容量の大きいＢＤも普及し始めている。このようなディスク状の記録媒体は、紙、樹脂等から作られたパッケージに収納されて販売される場合が多い。
このようなディスク状被収納物のパッケージの中でも、材料費が安く、印刷や加工も容易で軽量なため、紙製のパッケージが広く用いられている。
【０００３】
紙製のパッケージでは、多くの場合、ディスク状被収納物を収納するのに十分な強度を有する厚みの内側層と、人目に付く側の外側層が貼り合わされて構成されている。ここで、人目に付く外側層には高級白板紙のような比較的上質な紙が用いられ、内側層には古紙を含むリサイクル紙等が用いられる場合が多い。
また、パッケージに収納したディスク状被収納物の外表面が傷付くのを防ぐため、紙ボード材の外側層と、不織繊維からなる内側層とが貼り合わされたパッケージも提案されている（例えば、特許文献１参照）。
【特許文献１】特開平８−３３２６９１号
【発明の開示】
【発明が解決しようとする課題】
【０００４】
上記の内側層にリサイクル紙等が用いたパッケージでは、内側層に優れた平滑性、光沢感、印刷再現性、発色性等を期待することができず、全体として装飾性、意匠性に優れたパッケージを提供することが困難である。また、特許文献１に記載の発明においては、確かにディスク状被収納物の外表面が傷付くのを防ぐ効果はあるが、内側層に高価な材料を用いるため、パッケージの製造コストが上昇して、紙製パッケージ本来の特徴が生かせなくなる。
更に、上記の何れのパッケージにおいても、外側層の材質と内側層の材質とが異なるため、時間の経過と共に、各層の伸縮の差が大きくなってパッケージの面部で反りが生じ、見栄えが悪く、収納性能も劣化する問題が生じる。
【０００５】
従って、本発明の目的は、上述の問題を解決して、意匠性、装飾性に優れ、かつ長い期間使用しても、面部での反りが生じないディスク状被収納物のパッケージを提供することにある。
【課題を解決するための手段】
【０００６】
上述の課題を解決するため、本発明に係るディスク状被収納物のパッケージの１つの実施態様は、折曲部を介して複数の面部が繋がったシートであって、前記折曲部で折り曲げることにより、前記面部及び前記折曲部で囲まれた収納空間を有する構造体を組立可能な第１のシートと、折り曲げられた前記第１のシートの端部どうしの接合部を含む前記構造体の外表面の少なくとも一部を覆うように貼着される第２のシートと、を備え、前記第１のシート及び前記第２のシートが同材質の紙材からなることを特徴とする。
【０００７】
本実施態様においては、第１のシートを折り曲げることにより、１つの収納空間が形成される場合も、複数の収納空間が形成される場合も含まれる。第２のシートは、折り曲げられた第１のシートの端部どうしの接合部の全てを覆う場合も、一部を覆う場合も含まれる。また、第１のシート及び第２のシートを、外側層及び内側層の任意の層に用いることができる。折り曲げられた第１のシートの端部どうしの接合部に関しては、端部が重なり合った場合も、端部が重なり合っていない場合も含まれる。
【０００８】
本実施態様においては、第１のシート及び第２のシートが同材質の紙材からなるので、パッケージ全体において印刷等の制約がなく、意匠的、装飾的に自由度の高いパッケージを提供でき、更に、長い期間使用しても、パッケージの面部における反りが生じないディスク状被収納物のパッケージを提供することができる。
【０００９】
本発明に係るディスク状被収納物のパッケージのその他の実施態様は、更に、前記面部が、矩形の主パネルと前記主パネルよりも幅の狭いフラップとから構成され、前記接合部において、前記主パネルの端部と、前記折曲部で折り返された前記フラップの端部とが接触していることを特徴とする。
【００１０】
本実施態様においては、フラップを用いて、折曲部で折り返された端部と主パネルの端部とを接触させて接合するので、収納されたディスク状被収納物の端部は、接合部ではなく折曲部に当たる。よって、収納のための十分な強度を有し、かつ意匠性も優れたディスク状被収納物のパッケージを提供することができる。
【００１１】
本発明に係るディスク状被収納物のパッケージのその他の実施態様は、更に、前記接合部において、前記面部の端部どうしが重なり合うことなく、貼着された前記第２のシートによって両端部の接合状態が保たれていることを特徴とする。
【００１２】
本実施態様においては、接合部において、第１のシートの端部どうしが重なり合うことがないので、表面に膨れ上がった部分のない意匠的に優れたパッケージを提供でき、貼着された第２のシートにより十分な接合強度も得ることができる。
【００１３】
本発明に係るディスク状被収納物のパッケージのその他の実施態様は、更に、前記接合部において、一方の前記面部の端部の凸部と他方の面部の端部の凹部とが嵌合した状態で接触していることを特徴する。
【００１４】
本実施態様においては、接合部において、端部どうしが凸部と凹部とが嵌合した状態で接触しているので、位置ずれのない堅固な構造体を形成することができる。
【００１５】
本発明に係るディスク状被収納物のパッケージのその他の実施態様は、更に、前記嵌合した状態で接触している両端部において、前記凸部の側部及び前記凹部の側部に、互いに対応した角度のテーパが付けられていることを特徴する。
【００１６】
本実施態様においては、凸部と凹部とに互いに対応した角度のテーパが付けられているので、このテーパ角に沿って両端部を正確に位置合わせすることができる。
【００１７】
本発明に係るディスク状被収納物のパッケージのその他の実施態様は、更に、前記第１のシートが、前記ディスク状被収納物を収納するのに十分な強度を有することを特徴とする。
【００１８】
本実施態様によれば、第１のシートが所定の厚み寸法を有するようにすることによって、ディスク状被収納物を収納するのに十分な強度を有することができる。
【００１９】
本発明に係るディスク状被収納物のパッケージのその他の実施態様は、更に、前記第１のシートと前記第２のシートとが高級白板紙からなることを特徴とする。
【００２０】
本実施態様によれば、第１のシート及び第２のシート共に、古紙が含まれていないパルプ１００％の高級白板紙から作られている。従って、平滑性、光沢感が高く、印刷再現性、発色ともに良好であって、全体として意匠性、装飾性に優れたパッケージを提供することができる。
【００２１】
本発明に係るディスク状被収納物のパッケージのその他の実施態様は、更に、前記第１のシートが、前記折曲部を介して繋がった２つの前記主パネルを含み、前記折曲部で折り曲げることにより、２つの前記主パネル及び前記折曲部により囲まれた１つの前記収納空間が形成されることを特徴とする。
【００２２】
本実施態様は、１つの収納空間を有するパッケージの具体的な構成を示すものであり、これにより、コンパクトで意匠性に優れたパッケージを低い製造コストで提供できる。
【００２３】
本発明に係るディスク状被収納物のパッケージのその他の実施態様は、更に、前記第１のシートが、前記折曲部を介して縦に繋がった２つの前記主パネルを有する２つの帯状部分と、前記折曲部を介して各々の前記帯状部分の側部に繋がり、これにより２つの前記帯状部分を連結している所定の幅の連結部分とを含み、前記折曲部で折り曲げることにより、個々の前記帯状部分において前記主パネル及び前記折曲部により囲まれた前記収納空間が形成され、当該２つ収納空間が前記連結部分の幅寸法内に並ぶように配置されることを特徴とする。
【００２４】
本実施態様は、２つの収納空間を有するパッケージの具体的な構成を示すものである。本実施態様では、連結部分が書籍でいう「背」の部分に該当し、各収納空間は、連結部分の幅寸法内に並ぶように配置される。よって、２つの収納空間が効率的に収められた意匠性に優れたパッケージを、低い製造コストで提供できる。
【発明の効果】
【００２５】
以上のように、本発明に係るディスク状被収納物のパッケージにおいては、第１のシート及び第２のシートが同材質の紙材からなるので、意匠的、装飾的に自由度が高く、かつ長い期間使用しても、パッケージの面部における反りが生じないディスク状被収納物のパッケージを提供することができる。
更に、接合部において面部の端部どうしが重なり合うことがなく、貼着された第２のシートによって両端部の接合状態が保たれている場合には、表面に膨れ上がった部分のない意匠的に優れたパッケージを提供できる。
【発明を実施するための最良の形態】
【００２６】
本発明に係るディスク状被収納物のパッケージの実施形態について、以下に図面を用いながら詳細に説明する。本発明に係るパッケージが収納するディスク状被収納物としては、ＣＤ、ＤＶＤ、ＢＤ、レコード盤等を例示することができる。
【００２７】
（本発明に係るディスク状被収納物のパッケージの第１の実施形態の説明）
始めに、図１〜図３を参照しながら、本発明に係るディスク状被収納物のパッケージの第１の実施形態の説明を行なう。本実施形態では、ディスク状被収納物の収納空間を１つ有するパッケージを示す。ここで図１は、組み立て前のパッケージを構成する部材（第１のシート及び第２のシート）の展開図を示し、図２は、組み立て後のパッケージの外形図を示し、図３は、パッケージを組み立てる手順を示す参考斜視図である。
【００２８】
本実施形態のパッケージ１は、図１（ａ）に示す第１のシート２と、図１（ｂ）に示す第２のシート４から主に構成され、第１のシート２を折り曲げて、所定の構造物３（図３（ｂ）参照）を組み立てた後、第２のシート４を貼り合わせることによってパッケージ１が形成される。第１のシート２及び第２のシート４は同材質の紙材で構成されている。第１のシート及び第２のシートの材質としては、例えば、古紙が含まれていないパルプ１００％の高級白板紙を用いる場合を例示することができる。この場合には、平滑性、光沢感が高く、印刷再現性、発色ともに良好なので、全体として意匠性、装飾性に優れたパッケージ１を提供することができる。ただし、これに限られるものではなく、用途やデザインに応じて、更に安価な特板カードやコートボール紙等を用いることもできる。何れの場合においても、第１のシート２及び第２のシート４が同材質の紙材で構成されているので、長い期間使用しても、パッケージの面部における反りが生じないという特長を有する。
【００２９】
第１のシート２は、ＣＤ等のディスク状被収納物を収納するのに十分な強度を有するだけの厚み寸法有し、例えば、０．３〜０．６ｍｍの厚み寸法を例示することができる。図１（ａ）に示すように、第１のシート２は、図面上で縦の方向に、折曲部３０を介して矩形の主パネル２０と矩形の主パネル２１とが繋がり、更に、折曲部３１を介して主パネルよりも幅の狭いフラップ２２が主パネル２１に繋がっている。また、一方の主パネルである主パネル２０の側方端部には、折曲部３２を介して主パネルよりも幅の狭いフラップ２３が繋がっている。
矩形の主パネル２０、２１は、収納するディスク状被収納物の外径よりもある程度余裕を持った縦横寸法を有する。
また、一方の主パネルである主パネル２０には凹部２４が設けられ、他方の主パネルである主パネル２１には凸部２６が設けられ、これら凹部２４及び凸部２６には、それぞれ対応したテーパ角を有するテーパ部分２５及び２７が設けられている。これらのテーパを有する凹凸形状が嵌合して、組立に際し構造物３（図３（ｂ）参照）の接合部分の位置合わせを確実に行うことができ、堅固な接合構造を得ることができる。
【００３０】
第２のシート４は、組み立てた構造物３の接合部分の接合状態を維持するだけの強度（主に引張、せん断強度）を要するが、構造物３全体の強度を担うものではないので、第１のシート２の厚みより薄くすることができる。例えば、第２のシート４の厚みとして、０．０８〜０．１５ｍｍの厚み寸法を例示することができる。厚みを薄くすることによって、印刷工程や貼り付け工程におけるハンドリングをより容易にすることができる。本実施態様においては、第２のシート４はパッケージ１の外表面側に貼着されるので、より意匠性、装飾性が重要となる。
【００３１】
次に、図３を参照しながら、本実施形態のパッケージ１の組み立て手順を説明する。まず図３（ａ）に示すように、折曲部３１でフラップ２２を主パネル２１側に折り返し、折曲部３２でフラップ２３を主パネル２０側に折り返す。その後、折曲部３０でパネル２０を主パネル２１側に折り返すことによって、折り返されたフラップ２３の面と主パネル２１とが接触し、対応するテーパ角が付いた凹部２４と凸部２６とが嵌合した状態で接触する。
【００３２】
このフラップ２３の面と主パネル２１とを貼り合わせることによって、図３（ｂ）に示すような構造体３を形成することができる。更に、この構造体３の主パネル２０及びフラップ２２で構成される面（外面）を覆うように、第２のシート４を貼り合わせることによって、図３（ｃ）に示すようなパッケージ１を形成することができる。このパッケージ１では、主パネル２０及びフラップ２２により構成される面（内面）、主パネル２１及びフラップ２３（両部材は重なり合っている）で構成される面（内面）、及び折曲部３０、３１、３２で囲まれるディスク状被収納物の収納空間を形成することができる。この場合、ディスク状被収納物の端部が接合部に当たることがないので、堅固な収納空間を得ることができる。この収納空間は、主パネル２０のフラップ２３が繋がっていない側（図１（ａ）で左側）に、開口部３４が形成される。この開口部３４から、ディスク状被収納物を出し入れすることができる。
【００３３】
ここで、図３（ｂ）の矢印Ｃで示す主パネル２０とフラップ２２との接合部の断面構造を、図７（ａ）に示す。本実施形態では、主パネル２０とフラップ２２とが重なり合うことがないので、図７（ｂ）に示す接合部で面部が重なり合った従来例と異なり、表面に膨れ上がった部分のない意匠的に優れた外形を有する。また、外表面に貼着された第２のシート４によって、主パネル２０とフラップ２２とは、確実に接合状態を保つことができる。
以上のようにして組み立てられた１つの収納空間を有する本実施形態のパッケージ１の外形を、図２に示す。なお、図２（ａ）は、パッケージ１を第２のシートが貼られた主パネル２０側から見た平面図であり、図２（ｂ）は図２（ａ）の矢印Ａ−Ａから見た側面図であり、図２（ｃ）は図２（ａ）の矢印Ｂ−Ｂから見た側面図である。
【００３４】
本実施形態では、収納するディスク状被収納物の厚み寸法を確保するため、主パネル２１とフラップ２３とが重なり合った状態で貼り合わされているが、これに限られるものではなく、主パネル２０とフラップ２２との間の接合部と同様に、面端部を重なり合わせないで接触させて、外表面に貼着された第２のシート４により接合状態を維持することもできる。この場合、テーパの付いた凹凸形状を設けることもできる。また、フラップ２３を設ける位置は、主パネル２０でなく主パネル２１側に設けることもできる。
【００３５】
（本発明に係るディスク状被収納物のパッケージの第２の実施形態の説明）
次に、図４〜図６を参照しながら、本発明に係るディスク状被収納物のパッケージの第２の実施形態の説明を行なう。本実施形態では、ディスク状被収納物の収納空間を２つ有するパッケージを示す。ここで図４は、組み立て前のパッケージを構成する部材（第１のシート及び第２のシート）の展開図を示し、図５は、組み立て後のパッケージの外形図を示し、図６は、パッケージを組み立てる手順を示す参考斜視図である。
【００３６】
本実施形態のパッケージ１も、第１の実施形態と同様に、図４（ａ）に示す第１のシート２を折り曲げて、所定の構造物３（図６（ｂ）参照）を組み立てた後、図４（ｂ）に示す第２のシート４を貼り合わせることによって形成される。また、第１のシート６及び第２のシート８も、同材質の紙材で構成されている。これにより、全体において意匠的、装飾的に自由度の高いパッケージを提供でき、かつ長い期間使用しても、パッケージの面部における反りが生じないという特長を有する。
【００３７】
図４（ａ）に示すように、第１のシート２は、連結部６８により互いに連結された帯状部分８０ａ及び８０ｂが並んで配置された形状を有する。更に詳細に述べれば、個々の帯状部分８０ａ（ｂ）において、図面上で縦の方向に、折曲部７０ａ（ｂ）を介して矩形の主パネル６０ａ（ｂ）と矩形の主パネル６１ａ（ｂ）とが繋がり、更に、折曲部７１ａ（ｂ）を介して主パネルよりも幅の狭いフラップ６２ａ（ｂ）が主パネル６１ａ（ｂ）に繋がっている。そして、各帯状部分８０ａ（ｂ）の主パネル６１ａ（ｂ）には、折曲部７２ａ（ｂ）を介して幅寸法Ｂの連結部６８が繋がり、これによって、２つの帯状部分８０ａ（ｂ）は、互いに連結され並列配置されている。なお、幅寸法Ｗは、２つの収納空間が厚み方向において十分収まるだけの長さを要する。
【００３８】
本実施形態では、第１の実施形態と同様に、個々の帯状部分８０ａ（ｂ）において、主パネル６０（ｂ）に凹部６４ａ（ｂ）が設けられ、主パネル６１ａ（ｂ）に凸部６６ａ（ｂ）が設けられ、これら凹部６４ａ（ｂ）及び凸部６６ａ８ｂ）には、それぞれ対応したテーパ角を有するテーパ部分６５ａ（ｂ）及び６７ａ（ｂ）が設けられている。これらのテーパを有する凹凸形状が嵌合して、組み立てた構造物７の接合部分の位置合わせを確実に行うことができ、堅固な接合構造を得ることができる。
【００３９】
第２のシート８は、組み立てられた構造物７（図６（ｂ）参照）において、主パネル６０ａ及びフラップ６２ａにより構成される面、接合部６８、並びに主パネル６０ｂ及びフラップ６２ｂから構成される面を覆うように貼着される。
【００４０】
次に、図６を参照しながら、本実施形態のパッケージ１の組み立て手順を説明する。まず図６（ａ）に示すように、折曲部７０ａ（ｂ）で主パネル６０ａ８ｂ）を主パネル６１ａ（ｂ）側に折り返し、折曲部６２ａ（ｂ）でフラップ６２ａ（ｂ）を主パネル６１ａ（ｂ）側に折り返す。これにより、対応するテーパ角が付いた凹部６ａ（ｂ）と凸部６６（ｂ）とが嵌合した状態で接触する。
【００４１】
このようにして、図６（ｂ）に示すような構造体７を形成し、更に、この構造体７の主パネル６０ａ及びフラップ６２ａから構成される面、接合部６８、並びに主パネル６０ｂ及びフラップ６２ｂから構成される面を覆うように、第２のシート８を貼り合わせることによって、図６（ｃ）に示すようなパッケージ１を形成することができる。このパッケージ１では、主パネル６０ａ及びフラップ６２ａにより構成される面、主パネル６１ａ、折曲部７０ａ、７１ａ、及び第２のシート８で囲まれたディスク状被収納物の第１の収納空間と、主パネル６０ｂ及びフラップ６２ｂにより構成される面、主パネル６１ｂ、折曲部７０ｂ、７１ｂ、及び第２のシート８で囲まれるディスク状被収納物の第２の収納空間とを形成することができる。この場合、ディスク状被収納物の端部が接合部に当たることがないので、堅固な収納空間を得ることができる。この収納空間は、主パネル６１ａ（ｂ）の接続部６８が繋がっていない側（図６（ａ）で両外側）に、２つの開口部７４ａ（ｂ）が形成される。これらの開口部７４（ｂ）から、ディスク状被収納物を出し入れすることができる。
【００４２】
本実施形態では、第１の実施形態と同様に、主パネル６０ａ（ｂ）とフラップ６２ａ（ｂ）とが重なり合うことないので、表面に膨れ上がった部分のない意匠的に優れた外形を有する。また、閉じ込み側の外表面に貼着された第２のシート８によって、主パネル６０ａ（ｂ）とフラップ６２ａ（ｂ）とは、確実に接合状態を保つことができる。
以上のようにして組み立てられた２つの収納空間を有する本実施形態のパッケージ１の外形を、図５に示す。なお、図５（ａ）は、２つ収納空間が閉じ込まれたパッケージ１を主パネル６１ｂ側から見た平面図であり、図５（ｂ）は図５（ａ）の矢印Ｄ−Ｄから見た側面図であり、図５（ｃ）は図５（ａ）の矢印Ｅ−Ｅから見た側面図である。
【００４３】
本実施形態では、主パネル６１ａと主パネル６１ｂとの間に接続部６８が設けられているが、これに限られるものではなく、主パネル６０ａと主パネル６０ｂとの間に接続部６８を設けることもできる。
（本発明に係るディスク状被収納物のパッケージのその他の実施形態の説明）
本発明に係るディスク状被収納物のパッケージの実施形態は、上記の実施形態に限られるものではなく、例えば、ディスク状被収納物の収納空間が３つ以上有するパッケージ（図８参照）を含め、その他の多くのバリエーションが本発明に含まれる。
【図面の簡単な説明】
【００４４】
【図１】組み立て前の本発明の第１の実施形態のパッケージを構成する部材（第１のシート及び第２のシート）の展開図である。
【図２】本発明の第１の実施形態の組み立て後のパッケージの外形図である。
【図３】本発明の第１の実施形態のパッケージを組み立てる手順を示す参考斜視図である。
【図４】組み立て前の本発明の第２の実施形態のパッケージを構成する部材（第１のシート及び第２のシート）の展開図である。
【図５】本発明の第２の実施形態の組み立て後のパッケージの外形図である。
【図６】本発明の第２の実施形態のパッケージを組み立てる手順を示す参考斜視図である。
【図７】本発明及び従来の接合部の断面構造を示す図である。
【図８】収納空間を３つ有する本発明のその他の実施形態の外形図である。
【符号の説明】
【００４５】
１      パッケージ
２、６  第１のシート
３、７  構造体
４、８  第２のシート
２０、６０ａ、ｂ  主パネル
２１、６１ａ、ｂ  主パネル
２２、６２ａ、ｂ  フラップ
２３              フラップ
３０、３１、３２  折曲部
７０、７１、７２ａ、ｂ  折曲部
２４、６４ａ、ｂ  凹部
２６、６６ａ、ｂ  凸部
２５、２７、６５、６７ａ、ｂ    テーパ部
３４、７４ａ、ｂ    開口部
８０ａ、ｂ  帯状部分
【図１】
2010143616.tif 000003
【図２】
2010143616.tif 000004
【図３】
2010143616.tif 000005
【図４】
2010143616.tif 000006
【図５】
2010143616.tif 000007
【図６】
2010143616.tif 000008
【図７】
2010143616.tif 000009
【図８】
2010143616.tif 000010